(57)【要約】【課題】  引き出し及び折り畳み操作時に、下部スライダーの下部レールからの外れを防止し得る折引戸を提供する。【解決手段】  上部レール内を移動する上部スライダーからパネルを吊下支持し、上部スライダーと下部レール内を移動する下部スライダーとの間でパネルを移動可能にかつ回動可能に支持した折引戸において、パネル１１と下部スライダー１５とを連結するシャフト１４を、該下部スライダー１５に対し回動可能に取着した。【選択図】      図１
2005155075.tif 000002
【特許請求の範囲】
【請求項１】
上部レール内を移動する上部スライダーからパネルを吊下支持し、前記上部スライダーと下部レール内を移動する下部スライダーとの間でパネルを移動可能にかつ回動可能に支持した折引戸において、
前記上部スライダー若しくは下部スライダーは、前記パネルと下部レールとの間隔の変化に追随する支持装置を介してパネルに取着し、前記下部スライダーは前記パネルに対し下部レールに沿う方向に回動可能に取着したことを特徴とする折引戸。
【請求項２】
上部レール内を移動する上部スライダーからパネルを吊下支持し、前記上部スライダーと下部レール内を移動する下部スライダーとの間でパネルを移動可能にかつ回動可能に支持した折引戸において、
前記パネルと前記下部スライダーとを連結するシャフトを、前記パネルに対し出没可能にかつ回動可能に取着し、前記下部スライダーは前記シャフトに対し下部レールに沿う方向に回動可能に取着したことを特徴とする折引戸。
【請求項３】
前記下部スライダーには前記下部レール内を移動する第一の係合部を備え、前記第一の係合部は、前記下部スライダーが下部レールに対し回動して、前記下部スライダーの中心線と下部レールの中心線とが一致しないとき、該下部レールに係合する係合突起を設けたことを特徴とする請求項１または２記載の折引戸。
【請求項４】
前記第一の係合部の底面は、前記下部レール内を摺動可能かつ回動可能とする平坦面で構成したことを特徴とする請求項３記載の折引戸。
【請求項５】
前記下部スライダーには、前記下部レールに弾性的に係合する抜け止め突起を有する第二の係合部を備えたことを特徴とする請求項２乃至４のいずれかに記載の折引戸。
【請求項６】
前記シャフトは、付勢手段により下方へ付勢したことを特徴とする請求項２乃至５のいずれかに記載の折引戸。
【請求項７】
前記付勢手段は、前記パネルを支点として前記シャフトをその軸方向に沿って下方へ付勢するコイルスプリングで構成したことを特徴とする請求項２乃至６のいずれかに記載の折引戸。
【発明の詳細な説明】
【技術分野】
【０００１】
この発明は、パネルを上部レールと下部レールとの間で移動可能に、あるいは回動可能に支持して、上部レール及び下部レールに沿って引き出し及び畳み込み可能とした折引戸に関するものである。
【背景技術】
【０００２】
従来、クローゼット等の扉あるいは室内空間を適宜に区画する間仕切りとして使用される折引戸は、例えば図７に示すように、複数枚のパネル１ａ，１ｂが下部レール２と上部レール３との間で移動可能に支持され、かつパネル１ａ，１ｂが蝶番４を介して回動可能に連結されている。
【０００３】
各パネル１ａ，１ｂは、その幅方向中央部に下部スライダー（ランナー）５及び上部スライダー（ランナー）６が設けられ、上部スライダー６により吊下支持されるとともに、両スライダー５で下部レール２及び上部レール３に沿って移動可能に、かつ回動可能に支持されている。
【０００４】
近年、住居のバリアフリー化の要請により、下部スライダー５を支持する下部レール２の床面からの突出量を少なくすることが必要となっている。
特許文献１，２には、スライダーあるいはローラーを移動可能に支持する露出薄型下レールが開示されている。
【特許文献１】特開５４−７７４３９号公報
【特許文献２】特許３２５８２８号公報
【発明の開示】
【発明が解決しようとする課題】
【０００５】
図７に示す折引戸では、パネル１ａ，１ｂを蝶番部で折り畳んだ状態からレールに沿って移動させる際、図７（ｂ）に示すように、両パネル１ａ，１ｂが下部レール２及び上部レール３との間で斜めに傾くことがある。
【０００６】
このような場合には、下部スライダー５に対し上方への引張力が作用するため、下部スライダー５が下部レール２から外れやすいという問題点がある。
特許文献１には、アコーディオンカーテンのガイド装置が開示されているが、この構成を折引戸に応用することはできない。
【０００７】
特許文献２に開示された構成では、下部ランナーのローラーが下レールの縁に接触して乗りあがるように動作すると、上方への力が作用し、下部ランナーが下レールから外れやすい。
【０００８】
この発明の目的は、引き出し及び折り畳み操作時に、下部スライダーの下部レールからの外れを防止し得る折引戸を提供することにある。
【課題を解決するための手段】
【０００９】
請求項１では、上部レール内を移動する上部スライダーからパネルを吊下支持し、前記上部スライダーと下部レール内を移動する下部スライダーとの間でパネルを移動可能にかつ回動可能に支持した折引戸において、前記上部スライダー若しくは下部スライダーは、前記パネルと下部レールとの間隔の変化に追随する支持装置を介してパネルに取着し、前記下部スライダーは前記パネルに対し下部レールに沿う方向に回動可能に取着した。
【００１０】
請求項２では、上部レール内を移動する上部スライダーからパネルを吊下支持し、前記上部スライダーと下部レール内を移動する下部スライダーとの間でパネルを移動可能にかつ回動可能に支持した折引戸において、前記パネルと前記下部スライダーとを連結するシャフトを、前記パネルに対し出没可能にかつ回動可能に取着し、前記下部スライダーは前記シャフトに対し下部レールに沿う方向に回動可能に取着した。
【００１１】
請求項３では、前記下部スライダーには前記下部レール内を移動する第一の係合部を備え、前記第一の係合部は、前記下部スライダーが下部レールに対し回動して、前記下部スライダーの中心線と下部レールの中心線とが一致しないとき、該下部レールに係合する係合突起を設けた。
【００１２】
請求項４では、前記第一の係合部の底面は、前記下部レール内を摺動可能かつ回動可能とする平坦面で構成した。
請求項５では、前記下部スライダーには、前記下部レールに弾性的に係合する抜け止め突起を備えた。
【００１３】
請求項６では、前記シャフトは、付勢手段により下方へ付勢した。
請求項７では、前記付勢手段は、前記パネルを支点として前記シャフトをその軸方向に沿って下方へ付勢するコイルスプリングで構成した。
【発明の効果】
【００１４】
本発明によれば、引き出し及び折り畳み操作時に、下部スライダーの下部レールからの外れを防止し得る折引戸を提供することができる。
【発明を実施するための最良の形態】
【００１５】
以下、本発明を具体化した一実施の形態を図１〜図６に従って説明する。図１及び図２に示す折引戸は、前記従来例と同様に各パネル１１が上部レールから吊下支持されるとともに、下部レールに沿って移動可能にかつ回動可能に支持されて、引き出し及び折り畳み操作可能としたものである。
【００１６】
折引戸のパネル１１の下枠１２内には、スライダーの支持装置１３が設けられ、その支持装置１３からシャフト１４を介して下部スライダー１５が支持されている。
前記支持装置１３は、ケース１６が取付部材１７にネジ１８ａで固定され、その取付部材１７がタッピングネジ１８ｂで前記下枠１２に固定されている。
【００１７】
前記ケース１６の中央部には、下方にのみ開口する筒部１９が形成され、その筒部１９内にコイルスプリング２０が収容されている。また、前記ケース１６には前記シャフト１４が前記取付部材１７を貫通して挿入され、同シャフト１４の上端部に設けられたフランジ２１は、取付部材１７から抜き出し不能とする径で形成される。そして、フランジ２１の上面に前記コイルスプリング２０が当接している。
【００１８】
従って、シャフト１４はケース１６に対し出没可能にかつ相対回動可能に支持されるとともに、コイルスプリング２０により下方に向かって付勢され、フランジ２１が取付部材１７に当接すると、下方へのそれ以上の移動が阻止されるようになっている。
【００１９】
前記シャフト１４の下端には、前記下部スライダー１５が支軸２２により下部レール２３に沿う方向に回動可能に支持されている。従って、シャフト１４は下部レール２３に沿って移動する下部スライダー１５に対し傾動可能となっている。
【００２０】
また、各パネル１１が上部レール及び下部レール２３に支持されているとき、前記シャフト１４のフランジ２１はケース１６の上下方向中央部に位置するように、上部スライダーによるパネル１１の吊下げ高さ及びコイルスプリング２０の付勢力が設定されている。
【００２１】
前記下部レール２３は、図２に示すように、１つの下部スライダー１５に対し２条の係止溝２４ａ，２４ｂが形成され、下部スライダー１５には各係止溝２４ａ，２４ｂ内を移動する第一及び第二の係合部２５，２６が形成されている。
【００２２】
前記係止溝２４ａ，２４ｂは、その底面が平坦面で構成され、両側面は斜め下方に向かう斜面２７で構成される。従って、係止溝２４ａ，２４ｂはその開口部の幅が底部の幅より大きく形成されている。
【００２３】
前記第一の係合部２５は、図４に示すように、係止溝２４ａ，２４ｂに対応する位置で、下部スライダー１５の進行方向両側にそれぞれ形成されて、計４つ設けられ、前記第二の係合部２６は下部スライダー１５の進行方向に位置する第一の係合部２５間に設けられている。
【００２４】
第一の係合部２５は、前記係止溝２４ａ，２４ｂに対応するように、下方に向かって幅広となるように、側面が斜め上方に向かう斜面として形成され、その斜面の下端部に係合突起２８が形成されている。また、第一の係合部２５の下面は、平坦面として形成されて係止溝２４ａ，２４ｂの底面上を摺動かつ回転可能であり、その幅が係止溝２４ａ，２４ｂの開口幅より僅かに小さくなるように形成されて、下部レール２３の上方から係止溝２４ａ，２４ｂ内に挿入可能となっている。
【００２５】
前記第二の係合部２６は、第一の係合部２５より下方に向かって若干短く形成され、前記第一の係合部２５の係合突起２８よりさらに側方へ突出する抜け止め突起２９が形成されている。抜け止め突起２９の上方及び下方にはそれぞれ斜面３０ａ，３０ｂが形成されている。
【００２６】
また、図６に示すように、第二の係合部２６はその上部に形成されたスリット３１により、下端部が下部レール２３の幅方向に弾性的に変形可能となっている。
このような下部スライダー１５は、第二の係合部２６を係止溝２４ａ，２４ｂの開口縁に当接させて撓ませることにより、図２に示すように、第一及び第二の係合部２５，２６を係止溝２４ａ，２４ｂ内に挿入可能である。
【００２７】
この状態で、パネル１１を下部レールに沿って移動させると、第一の係合部２５が係止溝２４ａ，２４ｂの底面上を摺動することにより、下部スライダー１５が下部レール２３に沿って移動する。
【００２８】
このとき、下部スライダー１５に上方への引張力が作用しても、第二の係合部２６が係止溝２４ａ，２４ｂの斜面２７に係合するため、下部スライダー１５は下部レール２３から容易には外れない。
【００２９】
パネル１１を折り畳む際に、下部スライダー１５が下部レール２３に対し回動すると、図５に示すように、第一の係合部２５の係合突起２８の一側が係止溝２４ａ，２４ｂの斜面２７の下方位置に移動する。この状態から、パネル１１を下部レール２３に沿って移動させると、下部スライダー１５に上方への引張力が作用しても、係合突起２８が係止溝２４ａ，２４ｂの斜面２７に当接する。従って、下部スライダー１５の下部レール２３からの外れを防止することができる。
【００３０】
また、下部スライダー１５を下部レール２３から取り外す場合には、第一の係合部２５の係合突起２８が係止溝２４ａ，２４ｂの斜面２７に係合しない状態で、パネル１１を上方へ引き上げれば、抜け止め突起２９が係止溝２４ａ，２４ｂの斜面２７に押されて撓むため、下部スライダー１５が下部レール２３から取外し可能である。
【００３１】
上記のように構成された折引戸では、次に示す作用効果を得ることができる。
（１）各パネル１１を折り畳んだ状態から引き出すとき、図３に示すように、パネル１１が下部レール２３に対し傾くことがある。このような場合には、シャフト１４が下部スライダー１５に対し回動するため、下部スライダー１５に対し上方への引張力が作用しない。
（２）シャフト１４がケース１６に対し出没可能であるので、パネル１１と下部レール２３との間隔の変化に容易に追随することができる。
（３）下部スライダー１５は、コイルスプリング２０により常に下方へ付勢されている。従って、パネル１１と下部レール２３との間隔が増大しても、下部スライダー１５を下部レール２３に沿って安定して移動させることができる。
（４）下部スライダー１５は、第一の係合部２５の係合突起２８が係止溝２４ａ，２４ｂの斜面２７に当接する範囲で、下部レール２３に対し回動可能である。そして、下部スライダー１５が下部レール２３に対し回動して、図５に示すように、下部レール２３の中心線Ｃ１と下部スライダー１５の中心線Ｃ２とが一致しない状態では、第一の係合部２５の係合突起２８の斜面２７への係合により、下部スライダー１５の上方への外れを防止することができる。
（５）第二の係合部２６の抜け止め突起２９の斜面２７への係合により、下部スライダー１５の下部レール２３からの不用意な外れを防止することができる。
（６）以上のことから、下部スライダー１５の下部レール２３からの外れを確実に防止することができる。
（７）下部スライダー１５を下部レール２３から取り外す場合には、パネル１１を上方へ持ち上げて、下部スライダー１５を上方へ引っ張る。すると、第二の係合部２６の抜け止め突起２９が撓んで、下部スライダー１５を下部レール２３から上方へ引き抜くことができる。
【００３２】
上記実施の形態は、以下の態様で実施してもよい。
・シャフト１４は、コイルスプリング２０以外の他の付勢手段を使用してもよい。
・上部スライダーとパネルを連結するシャフトをパネルに対し出没可能として、パネルと下部レールとの間隔の変化に追随するようにしてもよい。
【図面の簡単な説明】
【００３３】
【図１】一実施の形態を示す断面図である。
【図２】一実施の形態を示す側面図である。
【図３】一実施の形態の動作を示す正面図である。
【図４】一実施の形態のスライダーを示す底面図である。
【図５】一実施の形態のスライダーの動作を示す底面図である。
【図６】一実施の形態のスライダーを示す断面図である。
【図７】（ａ）（ｂ）は従来例を示す説明図である。
【符号の説明】
【００３４】
１１        パネル
１３        支持装置
１４        シャフト
１５        下部スライダー
２３        下部レール
【図１】
2005155075.tif 000003
【図２】
2005155075.tif 000004
【図３】
2005155075.tif 000005
【図４】
2005155075.tif 000006
【図５】
2005155075.tif 000007
【図６】
2005155075.tif 000008
【図７】
2005155075.tif 000009